(57)【要約】【課題】  ホタルの幼虫が終齢幼虫になるまでの間に多数死滅するという不具合を可及的に回避する。また、羽化したホタルの成虫を可及的に延命させる。【解決手段】  容積が１００ｍｌ程度のビーカーでなるカップ状容器２に、８０ｍｌ程度の水を入れ、その容器２の底部に複数粒の砕石３を敷設した状態で、この容器２の内部に、ホタルの幼虫５とカワニナ６とを収容すると共に、ホタルの幼虫５の収容数を１匹または２匹とし、複数の砕石３を、その裏側にホタルの幼虫５が入り込むための隙間が形成されるように敷設する。好ましくは、少なくとも１匹のカワニナ６が容器２内に常時収容された状態となる頻度で、カワニナ６を容器２の内部に投与する。また、少なくとも週１回の頻度で、火力発電所の稼動により得られた排水を使用して、水を交換する。【選択図】図１
2005333831.tif 000002
【特許請求の範囲】
【請求項１】
容積Ｃが７０ｍｌ〜１５０ｍｌのカップ状の容器に、その容積Ｃの６０％〜８５％の量の水を入れ、その底部に複数粒の砕石を敷設した状態で、この容器の内部に、ホタルの幼虫とカワニナとを収容すると共に、上記ホタルの幼虫の収容数を１匹または２匹とし、且つ上記複数の砕石を、その裏側にホタルの幼虫が入り込むための隙間が形成されるように敷設したことを特徴とするホタルの飼育方法。
【請求項２】
少なくとも１匹のカワニナが容器内に常時収容された状態となる頻度で、該カワニナを容器の内部に投与することを特徴とする請求項１に記載のホタルの飼育方法。
【請求項３】
少なくとも週１回の頻度で、水を交換することを特徴とする請求項１または２に記載のホタルの飼育方法。
【請求項４】
上記容器の上方は、開放されていることを特徴とする請求項１〜３の何れかに記載のホタルの飼育方法。
【請求項５】
上記容器は、ビーカーであることを特徴とする請求項１〜４の何れかに記載のホタルの飼育方法。
【請求項６】
火力発電所の稼動により得られた排水を、上記容器の内部に入れる水として利用したことを特徴とする請求項１〜５に何れかに記載のホタルの育成方法。
【請求項７】
１匹または２匹のホタルの幼虫を、カップ状の容器の内部で飼育するための器具であって、容積Ｃが７０ｍｌ〜１５０ｍｌのカップ状の容器に、その容積Ｃの６０％〜８５％の量の水を入れ、その底部に複数粒の砕石を敷設した状態で、この容器の内部に、１匹または２匹のホタルの幼虫と少なくとも１匹のカワニナとを収容すると共に、上記複数の砕石を、その裏側にホタルの幼虫が入り込むための隙間が形成されるように敷設したことを特徴とするホタルの飼育器具。
【請求項８】
羽化したホタルを、３℃〜７℃に温度設定された保管庫に保存させて、該ホタルを冬眠または仮死もしくはこれらに準ずる状態で、所定期間に亘り飼育することを特徴とするホタルの飼育方法。
【請求項９】
上記羽化したホタルは、シャーレに収容された状態で上記保管庫に保存されていることを特徴とする請求項８に記載のホタルの飼育方法。
【請求項１０】
上記保管庫は、冷蔵庫であることを特徴とする請求項８または９に記載のホタルの飼育方法。
【請求項１１】
火力発電所の稼動により得られた排水を、上記保管庫内の羽化したホタルに与える水として利用したことを特徴とする請求項８〜１０の何れかに記載のホタルの飼育方法。
【請求項１２】
羽化したホタルを延命させる飼育器具であって、３℃〜７℃に温度設定された保管庫を有することを特徴とするホタルの飼育器具。
【発明の詳細な説明】
【技術分野】
【０００１】
本発明は、ホタルの飼育方法及びその飼育器具に係り、詳しくは、ホタルの幼虫の生存数を上昇させ、または羽化したホタルの延命を目的としたホタルの飼育方法及びその飼育器具に関する。
【背景技術】
【０００２】
周知のように、ホタルの生存数の多さやその存否は環境に大きく左右され、特に水質が良好な地域でなければ生育できないことから、環境の悪化が問題となっている都市近郊では、その生存が危ぶまれているのが実情である。従って、多数のホタルが生育している地域は、優れた水環境等を有していることの証しとなるため、ホタルの存在を環境面における各種ＰＲに活用することができる。
【０００３】
このような要請に応じるべく、人工的に多数のホタルを飼育して放流することが各地で行なわれるに至っており、これに伴なってホタルの飼育に好適な飼育器具ないし飼育装置が提案されている。即ち、１年のうち６月頃に孵化したホタルの幼虫は、ヨウ化（さなぎへのヨウ化）が始まる３月頃までの約１０ヶ月に亘って飼育する必要がある。
【０００４】
そこで、この約１０ヶ月の期間は、底部に砂利を敷き且つ水を張った水槽を複数（例えば６個）設置し、可能な限り小川と同様の生育環境を形成した上で、これらの水槽の中に多数のホタルの幼虫を収容して飼育することが行なわれていた。この飼育については、ホタルの幼虫のエサになるカワニナを、その幼虫の大きさや成長に合わせて、例えば幼虫が小さい時には切り身にし、大きくなった時には切り身にすることなく定期的に投与すると共に、循環ポンプを常時作動させて清浄な水を供給する等の保守が行なわれていた。
【０００５】
この種の飼育装置の具体例として、例えば下記の特許文献１によれば、水槽の内部に、下部水を確保する多孔盤を設け、その上方に、フィルタと、ホタルの幼虫を棲息する砂礫層と、上部水とを順次配設すると共に、これらを貫通して下部水に通じる集水パイプを設け、更に集水パイプ中の水を揚水ポンプで上部水に揚水して水を循環させるようにした装置が開示されている。そして、この文献に開示されたホタルの飼育装置は、エサとなるカワニナと共に、約３００匹のホタルの幼虫を水槽に投入して砂礫層にもぐらせるものである。
【０００６】
一方、羽化したホタルの成虫は、乾燥水苔が収納された産卵箱（交尾させるための飼育箱）の内部で飼育されるが、ホタルの成虫は、エサを摂取せずに水滴を啜って生息するため、産卵箱の内部に定期的に霧吹きを用いて水滴を噴霧することにより、ホタルの成虫を飼育保存するという手法が採用されている。尚、このようなホタルの成虫の飼育保存手法は、本発明者等が従来より採用していた手法である。
【０００７】
【特許文献１】特開２００１−１７８３０９号公報
【発明の開示】
【発明が解決しようとする課題】
【０００８】
しかしながら、上記の特許文献１に開示の飼育装置によれば、エサとなるカワニナを水槽に投与しているものの、ホタルの幼虫が多数収容されているため、動物界の自然の節理により、強い幼虫のみがカワニナを摂取して、弱い幼虫はカワニナを摂取できないという事態が生じ、多数の幼虫が死滅することになる。従って、６月頃に孵化したホタルの幼虫は、約１０ヶ月の飼育期間内に、大半が死滅するに至り、充分な数の終齢幼虫（脱皮を繰り返して体長が３０ｍｍ程度になった幼虫であってヨウ化してさなぎになる幼虫をいう）を確保できなくなるという問題が生じる。
【０００９】
更に、同文献に開示の飼育装置では、ホタルの幼虫が多数であるために、投与されるカワニナも必然的に多数となることから、ホタルの幼虫が食べ残したカワニナの切り身や死骸が水槽内で循環されて、水質が汚染されるという事態を招き、この水質汚染によってもホタルの幼虫が死滅するという事態を招く。しかも、水槽内に残存したカワニナは、除去し辛いものであるため、その洗浄作業が極めて面倒且つ煩雑になるという不具合も生じる。
【００１０】
一方、上記従来のように、産卵箱の内部でホタルの成虫を飼育保存する手法では、ホタルの羽化時期にバラツキがあり、且つホタルの成虫の寿命が１０日前後と短命であることから、人工的に自然に近い環境を形成したとしても、延命可能日数には限界があり、多数のホタルの成虫が必要となる日（例えばホタルを観覧するイベントがある日）までに、大半のホタルが死滅するという不具合を招いていた。このため、例えばイベント開催当日まで生育しているホタルが極めて少なく、来客者へのＰＲが不充分になること等により、ホタルに関する企画が失敗に終わるという問題すらも招来していた。
【００１１】
本発明は、上記事情に鑑みてなされたものであり、ホタルの幼虫が終齢幼虫になるまでの間に多数死滅するという不具合を可及的に回避することを第１の技術的課題とし、羽化したホタルの成虫を可及的に延命させることを第２の技術的課題とする。
【課題を解決するための手段】
【００１２】
上記第１の技術的課題を解決するためになされた本発明に係るホタルの飼育方法は、容積Ｃが７０ｍｌ〜１５０ｍｌのカップ状の容器に、その容積Ｃの６０％〜８５％の量の水を入れ、その底部に複数粒の砕石を敷設した状態で、この容器の内部に、ホタルの幼虫とカワニナとを収容すると共に、上記ホタルの幼虫の収容数を１匹または２匹とし、且つ上記複数の砕石を、その裏側にホタルの幼虫が入り込むための隙間が形成されるように敷設したことを特徴とするものである。
【００１３】
このような方法によれば、カップ状の容器の内部に収容されているホタルの幼虫は、１匹または２匹のみであるから、同じくカップ状の容器の内部に収容されているエサであるカワニナを、不足なくホタルの幼虫が食べ得ることになり、従来のように多数のホタルの幼虫がカワニナを摂取できなくなるという事態が回避される。この場合、容器の内部に収容されるホタルの幼虫が３匹以上となった場合には、カワニナの奪い合いが激化して、これを摂取できずに死滅する幼虫の数が漸増するが、１匹または２匹である場合には、カワニナを奪い合う気配すらなくなる傾向があり、死滅する確率が極めて低くなる。従って、このカップ状の容器、つまり容積Ｃが７０ｍｌ〜１５０ｍｌの小型のカップ状容器を多数準備しておけば、ホタルの終齢幼虫ひいては成虫を、効率良く増殖させることが可能となる。
【００１４】
また、このようにホタルの幼虫が１匹または２匹であると、カワニナの数も必然的に少数で済むことから、ホタルの幼虫によるカワニナの食べ残しや死骸の量が激減し、これらによる水質汚染の問題が適度に回避される。従って、水質汚染が引き起こすホタルの幼虫の死滅問題も効果的に回避されるばかりでなく、食べ残したカワニナ或いはその死骸の除去作業も容易に行なうことが可能となる。
【００１５】
更に、上記のカップ状の容器は、容積Ｃが７０ｍｌ〜１５０ｍｌであって、且つその容積Ｃの６０％〜８５％の量の水が入っているため、カワニナをエサとしてホタルの幼虫を飼育する上で、極めて有利となる。即ち、容器の容積Ｃが７０ｍｌ未満であると、１匹または２匹のホタルの幼虫の生活空間が狭くなって成育を妨げる要因になり、また容積Ｃが１５０ｍｌを超えると、空間に無駄が生じて飼育スペースが不当に広くなることから、容器の容積Ｃは、上記の数値範囲内にあることが好都合である。更に、水量が容器の容積Ｃの６０％未満であると、ホタルの幼虫の成育に支障が生じ、また８５％を超えると、カワニナが逃げやすくなることから、水量は上記の数値範囲内にあることが好都合である。以上のような事項を勘案すれば、容器の容積Ｃは１００ｍｌであって且つ水量は８０ｍｌであることがより好ましい。加えて、容器がカップ状であることから、持ち運びに便利であるという利点も享受することができる。
【００１６】
しかも、容器の底部には、複数（例えば８個から１２個程度）の砕石が、その裏側にホタルの幼虫が入り込むための隙間が形成されるように敷設されていることから、ホタルの幼虫がその隙間を利用して良好に脱皮できると共に、自然界においても小石の裏で休息することが多いことを考慮すれば、上記砕石の隙間が存在していることにより、ホタルの幼虫のストレス緩和につながる。
【００１７】
以上のような飼育方法をより優れたものとするには、少なくとも１匹のカワニナが容器内に常時収容された状態となる頻度で、カワニナを容器の内部に投与することが好ましく、また少なくとも週１回の頻度で、水を交換することが好ましい。更に、飼育に必要なエアーを水面表層から取り込むには、容器の上方を開放しておくことが好ましく、また取り扱いの利便性を考慮すれば、容器がビーカーであることが好ましい。
【００１８】
しかも、火力発電所の稼動により得られた排水を、容器の内部に入れる水として利用すれば、排水の有効利用が図られるばかりでなく、火力発電所の環境面での優位性をアピールする際に有用なものとなる。
【００１９】
また、上記第１の技術的課題を解決するためになされた本発明に係るホタルの飼育器具は、１匹または２匹のホタルの幼虫を、カップ状の容器の内部で飼育するための器具であって、容積Ｃが７０ｍｌ〜１５０ｍｌのカップ状の容器に、その容積Ｃの６０％〜８５％の量の水を入れ、その底部に複数粒の砕石を敷設した状態で、この容器の内部に、１匹または２匹のホタルの幼虫と少なくとも１匹のカワニナとを収容すると共に、上記複数の砕石を、その裏側にホタルの幼虫が入り込むための隙間が形成されるように敷設したことを特徴とするものである。
【００２０】
このようなホタルの飼育器具によれば、既に述べた飼育方法と同様の作用効果が得られる。
【００２１】
一方、上記第２の技術的課題を解決するためになされた本発明に係るホタルの飼育方法は、羽化したホタルを、３℃〜７℃に温度設定された保管庫に保存させて、該ホタルを冬眠または仮死もしくはこれらに準ずる状態で、所定期間に亘り飼育することを特徴とするものである。
【００２２】
このような方法によれば、羽化したホタルの成虫の活動を抑制することにより、老化の抑制につながると考えられることから、ホタルの成虫の延命が可能になるものと解される。即ち、本発明者等が行なった実験によれば、自然の気象条件の下でホタルの成虫を保存した場合には、半数以上が１０日程度で死滅していたのに対して、３℃〜７℃に温度設定された保管庫内でホタルの成虫を保存した場合には、７割〜８割の比率で１０日を超える延命が可能となった。この場合、より確実に延命を可能とするための最適な温度条件は５℃であった。
【００２３】
そして、羽化したホタルを、シャーレに収容した状態で保管庫に保存すれば、取り出しが容易となり、また保管庫を冷蔵庫とすれば、温度調節やコスト面で有利となる。また、この場合にも、火力発電所の稼動により得られた排水を、保管庫内の羽化したホタルに与える水として利用すれば、排水の有効利用が図られるばかりでなく、火力発電所の環境面での優位性をアピールする際に有用なものとなる。
【発明の効果】
【００２４】
以上のように本発明に係る第１のホタルの飼育方法及びその器具によれば、カップ状の容器の内部に１匹または２匹のみのホタルの幼虫を収容することにより、エサであるカワニナを不足なくホタルの幼虫が食べ得ることになり、従来のように多数のホタルの幼虫がカワニナを摂取できなくなるという事態が回避され、幼虫の死滅する確率が極めて低くなる。また、容器内のホタルの幼虫を１匹または２匹とすると、カワニナの数も必然的に少数で済むことから、ホタルの幼虫によるカワニナの食べ残しや死骸の量が激減し、これらによる水質汚染の問題が適度に回避されるばかりでなく、食べ残したカワニナ或いはその死骸の除去作業も容易に行なうことが可能となる。更に、カップ状の容器の容積Ｃを７０ｍｌ〜１５０ｍｌとし、且つその容積Ｃの６０％〜８５％の量の水を入れることにより、カワニナをエサとしてホタルの幼虫を飼育する上で、極めて有利となる。しかも、容器の底部に、複数の砕石を、その裏側にホタルの幼虫が入り込むための隙間が形成されるように敷設することにより、ホタルの幼虫がその隙間を利用して良好に脱皮できると共に、ホタルの幼虫のストレス緩和につながる。
【００２５】
また、本発明に係る第２のホタルの飼育方法及びその器具によれば、羽化したホタルを、３℃〜７℃に温度設定された保管庫に保存させて、該ホタルを冬眠または仮死もしくはこれらに準ずる状態で、所定期間に亘り飼育することにより、羽化したホタルの成虫の活動が適切に抑制され、老化の抑制につながると考えられることから、ホタルの成虫の延命が可能になるものと解される。
【発明を実施するための最良の形態】
【００２６】
以下、本発明の実施形態を添付図面を参照して説明する。
【００２７】
図１は、本発明の第１実施形態に係るホタルの飼育器具を示す概略正面図である。同図に示すように、この飼育器具１は、容積Ｃが７０ｍｌ〜１５０ｍｌ（好ましくは１００ｍｌ）のカップ状容器であるビーカー２の内部に、その容積Ｃの６０％〜８５％（好ましくは８０％）の量の水（水深４０ｍｍ程度）を溜め、その底部に８粒から１５粒（好ましくは１０粒）の砕石３を敷設したものである。この実施形態では、砕石３は、砂礫層４の上部に敷設されているが、この砂礫層４は形成しなくてもよい。なお、１粒の砕石３の大きさ（体積）は、砂礫層４の平均的な１粒の砂の大きさ（体積）の十倍以上（十倍〜数十倍程度）とされている。そして、このビーカー２の内部には、２匹（１匹でもよい）のホタルの幼虫５と、エサとなる２匹（１匹でもよい）のカワニナ６とが収容されている。また、砕石３の裏側（下側）には、ホタルの幼虫５が入り込むことが可能な隙間が形成されている。
【００２８】
上記の飼育器具１によりホタルの幼虫５を飼育する際には、常に１匹のカワニナ６がビーカー２の内部に収容されているようにするため、週１回の頻度で１匹のカワニナ６をビーカー２内への投与する。これにより、ホタルの幼虫５は確実にエサ（カワニナ６）を摂取することができる。また、ビーカー２内の水の入れ替え交換は、火力発電所の稼動により得られた排水を使用して、週１回程度行なう。この場合、ホタルの幼虫５によるカワニナ６の食べ残しやその死骸は、少数飼育であることから容易に除去することができる。また、空気は、水面の表層から取り込むことができるため、ホタルの幼虫５の生育に悪影響を及ぼすことはない。
【００２９】
このような条件で、４年間におけるそれぞれ６月頃〜次年度３月頃までに亘って、多数の上記飼育器具１を使用してホタルの幼虫５を飼育した場合の実験結果を、下記の表１及び表２に示す。尚、下記の表１は、本発明の実施形態と、従来例（水槽の中に砂礫層を形成して数百匹のホタルの幼虫を飼育した場合）とについて、ホタルの幼虫が終齢幼虫になる前（２月下旬）までの間における生存率を示すものである。また、下記の表２は、同じく本発明の実施形態と従来例とについて、表１で生存していたホタルの幼虫が終齢幼虫（脱皮を繰り返して体長が３０ｍｍ程度になった幼虫）まで育った終齢率を示すものである。
【００３０】
【表１】
2005333831.tif 000003
【００３１】
【表２】
2005333831.tif 000004
【００３２】
上記の表１、表２によれば、本発明の実施形態の方が、従来のように水槽内で多量のホタルの幼虫を飼育する場合よりも、ホタルの幼虫５に平等にエサ（カワニナ６）が与えられ、且つホタルの幼虫５のストレス等を緩和できることから、生存率で従来の３．７倍程度、終齢率で従来の２倍を確保していることが確認された。
【００３３】
次に、本発明の第２実施形態に係るホタルの飼育方法及び飼育装置を説明する。尚、便宜上、以下の説明は、図面を使用せずに行なう。この第２実施形態においては、羽化したホタルの成虫を、３℃〜７℃（好ましくは５℃）に温度設定された保管庫に保存させて、ホタルを冬眠または仮死状態で、所定期間（例えば２日〜１週間）に亘り飼育する。
【００３４】
この場合、保管庫としては、温度調節が可能な冷蔵庫を使用し、その冷蔵庫内に、羽化したホタルの成虫をシャーレに入れた状態で収納する。そして、１日に１回または数回程度に亘って、冷蔵庫からシャーレを取り出し、火力発電所の稼動により得られた排水を使用して、ホタルの成虫に対して霧吹きにより水滴を付与する。
【００３５】
このような飼育方法にしたがって本発明者等が行なった実験によれば、自然の気象条件の下でホタルの成虫を保存した場合には、半数以上が１０日程度で死滅していたのに対して、５℃に温度設定された冷蔵庫内でホタルの成虫を保存した場合には、７割〜８割の比率で１０日を超える延命が可能となった。
【図面の簡単な説明】
【００３６】
【図１】本発明の第１実施形態に係るホタルの飼育器具を示す概略縦断正面図である。
【符号の説明】
【００３７】
１  飼育器具
２  カップ状の容器（ビーカー）
３  砕石
５  ホタルの幼虫
６  カワニナ
【図１】
2005333831.tif 000005